(57)【要約】      （修正有）【課題】バッグの製造に多数の端切れ等が出るという欠点を解消し、更に製造工程が簡素であるバッグの提供を課題とするものであり、併せてデザイン的に優れていると共に必要に応じてコンパクトに収納することのできるバッグを提供する。【解決手段】縦横比が略１対３のベースシートの横方向の上辺及び下辺を略１対１対１の比率で区分けし、該区分けした夫々の上辺１０ａ、１０ｂ、１０ｃのうち上辺１０ａと上辺１０ｂとの境目部分を三角形状に内側に折り込み、区分けをした下辺１１ａ、１１ｂ、１１ｃのうちの下辺１１ｂと下辺１１ｃとの境目部分を三角形状に内側に折り込み、上辺１０ａと上辺１０ｂとを縫製すると共に下辺１１ｂと下辺１１ｃとを縫製して形成したバッグ本体を用いたバッグである。【選択図】図３
2010166951.tif 000002
【特許請求の範囲】
【請求項１】
一のベースシートでバッグ本体１を形成するバッグであって、
縦横比が略１対３のベースシートの横方向の上辺１０及び下辺１１を略１対１対１の比率で区分けし、
該区分けした夫々の上辺１０ａ、１０ｂ、１０ｃのうち上辺１０ａと上辺１０ｂとの境目部分を三角形状に内側に折り込むと共に、区分けをした下辺１１ａ、１１ｂ、１１ｃのうちの下辺１１ｂと下辺１１ｃとの境目部分を三角形状に内側に折り込み、
上辺１０ａと上辺１０ｂとを縫製すると共に下辺１１ｂと下辺１１ｃとを縫製することによってバッグ本体１を形成することを特徴とするバッグ。
【請求項２】
上辺１０ａと上辺１０ｂとをファスナー４をもって開閉自在に連設すると共に／又は、下辺１１ｂと下辺１１ｃとをファスナー４をもって開閉自在に連設することによりバッグ本体１を形成することを特徴とする請求項１記載のバッグ。
【請求項３】
上辺１０ａと上辺１０ｂとの境目部分を三角形状に外側に折り込むことを特徴とする請求項１又は２のいずれかに記載のバッグ。
【請求項４】
下辺１１ｂと下辺１１ｃとの境目部分を三角形状に外側に折り込むことを特徴とする請求項１乃至３のいずれかに記載のバッグ。
【請求項５】
三角形状の折り込み部分の外表面にポケットを配設したことを特徴とする請求項１乃至４のいずれかに記載のバッグ。
【請求項６】
三角形状の折り込み部分がホックを含む着脱自在の係止具によって係止することを特徴とする請求項１乃至５のいずれかに記載のバッグ。
【請求項７】
バッグ本体１の開口部に押さえベルト２を有し、該押さえベルト２の両端が夫々開口部の両側方向のバッグ開口部端辺部に連設するものであって、少なくともいずれか一端又は押さえベルトの中間でホック又はマグネットを含む係止具３によって着脱自在に係止されていることを特徴とする請求項１乃至６のいずれかに記載のバッグ。
【請求項８】
バッグ本体１の開口部のそれぞれの端辺部に略帯状の折り返し片部７を有し、夫々の折り返し片部７の開口部方向の端辺部においてファスナー８を含む係止具によってバッグ本体１の開口部を開閉自在とするものであることを特徴とする請求項１乃至７のいずれかに記載のバッグ。
【請求項９】
バッグ本体の開口部の一の端辺部に略帯状の折り返し片部７を有し、この折り返し片部７の他の端辺部とバッグ本体１の開口部の他の端辺部との間をファスナー８を含む係止具によってバッグ本体１の開口部を開閉自在とするものであることを特徴とする請求項１乃至７のいずれかに記載のバッグ。
【請求項１０】
バッグ本体１をリバーシブルとしたことを特徴とする１乃至９のいずれかに記載のバッグ。
【請求項１１】
側辺１２ａと下辺１１ａとによって構成される角部と側辺１２ｄと上辺１０ｃとによって構成される角部とを結ぶことによって持ち手部分を構成することを特徴とする請求項１乃至１０のいずれかに記載のバッグ。
【請求項１２】
側辺１２ａと下辺１１ａとによって構成される角部と側辺１２ｄと上辺１０ｃとによって構成される角部とに持ち手の両端を夫々連設することによりバッグを形成することを特徴とする請求項１乃至１０のいずれかに記載のバッグ。
【請求項１３】
側辺１２ａと下辺１１ａとによって構成される角部と側辺１２ｄと上辺１０ｃとによって構成される角部との持ち手の両端を夫々着脱自在に持ち手に連設することを特徴とする請求項１２に記載のバッグ。
【請求項１４】
ベースシートの縦横比が１対２．５乃至１対３の任意の比率を用いることを特徴とする請求項１乃至１３のいずれかに記載のバッグ。
【請求項１５】
ベースシートの横方向の上辺１０及び下辺１１を略１対１対１の比率で区分けに代えていずれか一つ又は二つの比率を１以上１．５以下とし、異なり比率で区分けしたことを特徴とする請求項１乃至１４のいずれかに記載のバッグ。
【請求項１６】
ベースシートの横方向の上辺１０と下辺１１との区分けの比率を異なることとしたことを特徴とする請求項１５記載のバッグ。
【発明の詳細な説明】
【技術分野】
【０００１】
本発明は、布地を有効利用でき、製袋時に極力端切れをなくすことを可能とするバッグに関する。
【背景技術】
【０００２】
従来、バックに関しては各種の構造が用いられているものであり、一般的にはバックの底部と側面部と持ち手部とからなるものである。
【０００３】
従って、夫々の構成部分を布地から裁断してこれを用いて製袋し、バッグを成形するものである。
【０００４】
この場合、例えば特開２００７‐８９９９９号（特許文献１）に示すバッグがあり、特にコンパクトに収納可能な構造が示されている。
【０００５】
更に、袋体を コンパクトに収納可能とするバッグとして実用新案登録第３１２７８７５号（特許文献２）に示す構成がある。
【先行技術文献】
【特許文献】
【０００６】
【特許文献１】特開２００７‐８９９９９号
【特許文献２】実用新案登録第３１２７８７５号
【発明の概要】
【発明が解決しようとする課題】
【０００７】
以上の様に、バッグは一般的に底部と側面部と持ち手部からなるものであり、それぞれの部材を別途裁断して、更にこれらを縫製等することによってバッグ形態を成形するものであり、それぞれの裁断に際してはそれぞれに対して端切れなどが生ずるものである。
したがって多数の手間及び不要となる端切れ等がどうしても生ずるものである。
【０００８】
これに対して、軟質樹脂フィルム等を用いた簡単な袋体も存在し、一枚のフィルム地を折り込んで製袋するものや２枚のフィルム地を重ねて製袋する袋体も存在するが、これらはそもそも熱可塑性フィルムを熱溶断シール等によって簡単に製袋するものであって極めて簡素なかつ破れやすい袋体であり、買物等における特定の簡単なかつ一時的な包装に用いるものでしかなく、長期間使用すると共に壊れにくくかつ安全に包装することができるバッグとはそもそも異なる袋として用いられるものである。
【０００９】
従ってしっかりとしたバッグであって、長期間使用に耐えうるバッグにおいては、どうしても製袋工程が複雑であると共に特に端切れ等が出るという欠点を解消しきれなかった。
特にバッグとして見栄えもよくデザイン的に高度な装飾を有するバッグにおいてはどうしても前記のような製袋時の手間や端切れ等が多数出てしまうことは避けられないものであった。
以上より、デザイン的に優れているバックであって、製袋が容易であり、かつ不必要な端切れがでることを極力避け、コストパフォーマンスに優れた画期的なバッグの提供が要求されるものであって、係るバッグの提供を課題とする。
【課題を解決するための手段】
【００１０】
係るために請求項１に係る発明は一のベースシートでバッグ本体を形成するバッグであって、縦横比が略１対３のベースシートの横方向の上辺及び下辺を略１対１対１の比率で区分けし、該区分けした夫々の上辺１０ａ、１０ｂ、１０ｃのうち上辺１０ａと上辺１０ｂとの境目部分を三角形状に内側に折り込むと共に、区分けをした下辺１１ａ、１１ｂ、１１ｃのうちの下辺１１ｂと下辺１１ｃとの境目部分を三角形状に内側に折り込み、上辺１０ａと上辺１０ｂとを縫製すると共に下辺１１ｂと下辺１１ｃとを縫製することによってバッグ本体を形成するバッグからなるものであり、係る発明によって前記課題を解決できる。
【００１１】
更に、請求項２に係る発明は上辺１０ａと上辺１０ｂとをファスナーをもって開閉自在に連設すると共に／又は、下辺１１ｂと下辺１１ｃとをファスナーをもって開閉自在に連設することによりバッグ本体を形成するバッグであって係る発明であってもよい。
これらの場合、請求項３に係る発明の様に上辺１０ａと上辺１０ｂとの境目部分を三角形状に外側に折り込むものでも、或いは請求項４に係る発明の様に下辺１１ｂと下辺１１ｃとの境目部分を三角形状に外側に折り込むものであってもいずれでもよい。
【００１２】
又、請求項５に係る発明の様に三角形状の折り込み部分の外表面にポケットを配設したものでも、請求項６に係る発明の様に三角形状の折り込み部分がホックを含む着脱自在の係止具によって係止するものでもよい。
更に、請求項７に係る発明の様にバッグ本体の開口部に押さえベルトを有し、該押さえベルトの両端が夫々開口部の両側方向のバッグ開口部端辺部に連設するものであって、少なくともいずれか一端が該連設部分から着脱自在であるホック又はマグネットを含む係止具によって係止されているものでもよい。
【００１３】
更に開口部の閉鎖に関しては、請求項８に係る発明の様にバッグ本体の開口部のそれぞれの端辺部に略帯状の折り返し片部を有し、夫々の折り返し片部の開口部方向の端辺部においてファスナーを含む係止具によってバッグ本体の開口部を開閉自在とするもの、請求項９に係る発明の様にバッグ本体の開口部の一の端辺部に略帯状の折り返し片部を有し、この折り返し片部の他の端辺部とバッグ本体の開口部の他の端辺部との間をファスナーを含む係止具によってバッグ本体の開口部を開閉自在とするものでもよい。
尚、以上のように構成したバッグに関しては請求項１０に係る発明の様にバッグ本体をリバーシブルとしたものでもよい。
【００１４】
更に、請求項１１に係る発明の様に側辺１２ａと下辺１１ａとによって構成される角部と側辺１２ｄと上辺１０ｃとによって構成される角部とを結ぶことによって持ち手部分を構成するものでも、請求項１２に係る発明の様に側辺１２ａと下辺１１ａとによって構成される角部と側辺１２ｄと上辺１０ｃとによって構成される角部とに持ち手の両端を夫々連設することによりバッグを形成するものでもよく、特に請求項１３に係る発明の様に夫々の角部との持ち手の両端を夫々着脱自在に持ち手に連設するものであってもよい。
【００１５】
次に、請求項１４に係る発明の様にベースシートの縦横比が１対２．５乃至１対３の任意の比率を用いるものであってもよい。
或いは、請求項１５に係る発明の様にベースシートの横方向の上辺及び下辺を略１対１対１の比率で区分けに代えて、いずれか一つ区分けをした辺又は二つ区分けをした辺の比率を１以上１．５以下とし、異なり比率で区分けしたものでもよく、或いは請求項１６に係る発明の様にベースシートの横方向の上辺と下辺との区分けの比率を異なることとしたものであってもよい。
【発明の効果】
【００１６】
以上のように構成したことから、先ず請求項１に係る発明によって一のベースシートを効率よくかつ不必要な端切れ等を生じさせずにバッグ本体を形成できるものである。
更に複雑な工程を用いずにバッグの成形を可能とするものである。
【００１７】
更に請求項２に係る発明によって、ファスナーをもってバッグの成形を 簡単に行なえるものであり、特に使用者において必要時にファスナーを 閉じてバッグを形作り、不要時には使用者がファスナーによってバッグ自体を開いてベースシート地状にすることができるものであり、極めて地価作かつきれいに折畳むことができ、持ち運びや保管に便利となる。
【００１８】
又、請求項３及び請求項４に係る発明によれば、三角形状部分の折り込み部分を外部に折り込むこともできるものであり、デザイン面のみならず使用者の成形時の簡便さを得られるものである。
【００１９】
更に請求項５に係る発明によれば、ポケットにより三角形状の折り込み部分を隠すと共にポケットの表出によるデザイン性の確保が可能となる。
又請求項６に係る発明によれば、三角形状の折り込み部分をきっちりと定位置で定置できるものであり、バッグの成形と共に係止具の取り外しにより、バッグを広げてシート状などに変形することができるものである。
【００２０】
尚、請求項７に係る発明によれば、押さえベルトによってバッグの開口部をしっかりと押さえられるものであり、不用意な更なる開口や型崩れだけでなく内容物の不用意な零れ落ちなどを防止できる。
次に請求項８及び請求項９に係る発明により折り返し片部によりバッグの開口部に蓋として機能することができると共にファスナーによってその開口部の開閉を自在に行なえるものとなる。
【００２１】
尚、請求項１０に係る発明によってリバーシブルにも用いることができるものである。
請求項１１に係る発明により、略風呂敷状に持ち手部分を形成でき、簡単に結び又解くことを可能にできることから使い勝手が高まるものである。
更にはデザイン的にも極めて斬新なバッグの提供を可能とするものである。
この他請求項１２に係る発明によって、一般的な持ち手も簡単に着脱できるものであり、使い勝手の高いバッグの提供を可能とすると共に請求項１３により持ち手の交換やバッグの持ち運び時などのシート状への開く際における持ち手の取り外しを簡単に行なえるものである。
【００２２】
更に請求項１４に係る発明によりベースシートの比率を代えることにより、横の広がったバッグや奥行きの深いバッグなど異なる形状のバックの提供を提供できるものである。
又、請求項１５や請求項１６に係る発明により、特殊形状のバッグ或いは歪んだ独特の形状のバッグの提供を可能とし、デザイン的に多用なバッグの提供を可能とする。
【図面の簡単な説明】
【００２３】
【図１】本発明に係るバッグの一例を示す図
【図２】本発明に係るバックを成形するベースシートの一例を示す図
【図３】本発明に係るバックを成形する工程の一手順を示す図
【図４】本発明に係るバックを成形する工程の一手順を示す図
【図５】本発明に係るバックを成形する工程の一手順を示す図
【図６】本発明に係るバッグの他の一例を示す図
【図７】本発明に係るバッグの他の一例を示す図
【図８】本発明に係るバッグの三角形状の折り込み部分の配設状態の一例を示す図
【図９】本発明に係るバッグの三角形状の折り込み部分の配設状態の他の一例を示す図
【図１０】本発明に係るバッグの他の一例を示す図
【図１１】本発明に係るバッグの他の一例を示す図
【図１２】本発明に係るバッグの他の一例を示す図
【発明を実施するための形態】
【００２４】
図１は、本発明に係るバッグの一例を示す図であり、バッグ本体１及び着脱自在の持ち手部５を有するものである。
該バッグはそのベースとして一のベースシートを折り込んで必要か所を縫製することによって製袋したバッグである。
従って、バッグ本体１の中央部分には開口を有しており、その両端部分にはバッグ本体に連設する連設環５１で持ち手５を着脱自在に連設してバッグ形態を形成するものである。
【００２５】
更にバッグ開口部内にはバッグの開口部の更なる開被を防ぐための押さえベルト２を有しており、例えば一のベルト２ａの一端を袋体の一側面に縫製等によって連設し、他方のベルト２ｂを袋体の他側面に縫製等によって連設し、夫々の押さえベルトの他端にホックやマグネット或いは他の一般的な着脱自在の係止具３を有しており、この係止具３によって押さえベルト２ａ、２ｂ同士が着脱自在に係止しているものである。
【００２６】
即ち押さえベルトの中間で係止具３によって着脱自在に係止されるものである。
従って、押さえベルト２の両端が夫々開口部の両側方向のバッグ開口部端辺部に連設している上にベルト同士が着脱自在であるホック又はマグネットを含む係止具によって係止しているものであり、取り外しが容易となるばかりでなくバッグへの内容物の封入及び取出しが容易となる。
尚、この他例えば一の押さえベルトによってその両端がバッグの夫々の開口端辺部に連設し、該ベルトのいずれかの端部又は双方がバッグの端辺部からマグネックやホックを含む各種の係止具によって着脱自在に係止されているものであってもよい。
【００２７】
図２は、図１のバッグを製袋する際に用いるベースシートの一例を示す。
本図に示すベースシートは縦方向の長さの割合を１とした場合に横方向の長さの割合が３となる長さを有する縦横比が１対３のシートである。
このシート地を３つの部分即ち各々略正方形状のシート地を夫々任意に折り込んで構成するものであり、上辺は１０ａ、１０ｂ、１０ｃよりなり、下辺は１１ａ、１１ｂ、１１ｃよりなり、両側辺は１２ａ、１２ｄよりなる。
【００２８】
夫々３つに分けて認識しているブロック部分毎の境の線は１２ｂ、１２ｃである。
本バッグはこのシート地を折りこみ又縫製することによって図１に示すバッグ本体を構成し、バック本体を構成するシート地のバッグ両端部に位置する角部分を更に持ち手を連設することにより図１に示す持ち手部を取り付けられるものである。
【００２９】
例えば一枚の正方形のシート地を三分割することにより三つのシート地を取り出せるものであり、例えば任意の正方形状のシート地を三分割することにより縦横比１対３のシート地をきっちりと三枚取り出すことができる。
尚、縦横比が１対３のシートが最もきれいなバッグを形成できるが、この比をやや変えて変化させたものであってもよい。
【００３０】
例えば１対３から１対４や１対２．５程度の間で任意の縦横比を定めてもよい。
横長形状或いは縦長形状などの変化を有するバッグを成形できる。
更に上辺１０ａ、１０ｂ、１０ｃ、と下辺１１ａ、１１ｂ、１１ｃに関しては夫々同一の長さを前提として明示しているが、この夫々の長さを若干変化させたものであってもよい。
若干の変化によりやや歪んだバッグが形成されることとなり、特殊な美観を生じさせることも可能となる。
【００３１】
従って、上辺と下辺における夫々の折り曲げる位置を示すブロック部分毎の境の線１２ｂ、１２ｃに区分けされるブロック部分の区分け比率は夫々１対１対１が最もきれいなバッグを成形できるがこれに限らず、この夫々の比率を若干変化させたものであってもよい。
即ち、ベースシートの横方向の上辺及び下辺をいずれか一つの辺又は二つの辺の比率を１以上１．５以下に代え、異なり比率で区分けしたものであってもよく、更にはベースシートの横方向の上辺と下辺との区分けの比率を異なることとしたものであってもよい。
【００３２】
図３は、図２に示すシート地の上辺１０ａと上辺１０ｂとの境目部分を三角形状に内側に折り込むと共に下辺１１ｂと下辺１１ｃとの境目部分を三角形状に内側に折り込んだ状態を示す図である。
このように構成することによってベースシートが中央のブロック部分をバッグの底部と両側面の一部を構成することができる。
又、両端方向の両ブロック部分からバッグの両側面の一部と共に持ち手関係部分を構成することができる。
【００３３】
図４は、更に上辺１０ａと上辺１０ｂとを縫製し、下辺１１ｂと下辺１１ｃとを縫製して構成した状態を示す図であり、図５は、更に側辺１２ａと下辺１１ａとによって構成される角部と側辺１２ｄと上辺１０ｃとによって構成される角部と持ち手部分或いは持ち手部分との連設部分として突出させた状態を示す図であり、上辺１０ａと上辺１０ｂとの境目部分の三角形状部分よりなる折り込み部と下辺１１ｂと下辺１１ｃとの境目部分の三角形状部分よりなる折り込み部との間を底部として構成してバッグを成形した一例を示す図である。
【００３４】
このように構成することによって図１に示すバッグをきっちりと成形できるものである。
又、この場合には一枚のシートを折り込んで製袋することによってパッグを成形できるものであり、端切れが出ることはなく極めて経済的にバッグを製袋できるばかりでなく、少ない工程で簡単に製造できるものである。
又、本バッグはその外観においても極めてデザイン的に優れているものであり見栄えのよいバッグの提供を可能とするものである。
【００３５】
更に図１に示すバッグには底部に明示していないが、底板を入れてあるものであり、必要に応じてこの底板を用いることによって袋体の底部の強度を高められるものである。
この底板に関しては例えば必要に応じてマチ幅が変えられるような折り畳み可能な底板や複数に分割されている底板を用いるものであってももちろんよい。
又、側辺１２ａと下辺１１ａとによって構成される角部と側辺１２ｄと上辺１０ｃとによって構成される角部には夫々連設環５１を介して持ち手５が配設されているものである。
【００３６】
尚、本図においては明示されていないがバッグ内部にポケットを設けたものであってもよい。
次にベースシートに関して、布地や厚手の樹脂シート地或いは皮などバッグに用いられる素材であればよく、更には必要に応じて裏地を有するものであっても或いは有さないものであってもいずれでもよい。
尚、ベースシートはバッグ成形時にその各端辺部等に各種縁取りや篝縫いなどを施しているものであり、一般的にシート地からバッグを成形する時点における成形と同様の縁取り成形がなされているものである。
【００３７】
図６は、図１に示す持ち手を用いずに、側辺１２ａと下辺１１ａとによって構成される角部部分と側辺１２ｄと上辺１０ｃとによって構成される角部部分とを結んで持ち手部分を構成した一例を示す図である。
このように構成することによりあたかも風呂敷のような印象を生じさせるきわめて使い勝手の良いかつ製造効率のよい又デザイン的にも極めて優れてバッグの提供が可能となる。
【００３８】
次に図７は、上辺１０ａと上辺１０ｂとの縫製と、下辺１１ｂと下辺１１ｃとの縫製に代えてこの部分間を開閉可能なファスナー４を用いて構成した一例を示す図である。
このように構成しても使用者自らバッグを形成できるものであるばかりでなくバッグへ品物を入れる際或いは出す際により広い開口部を作り出すことができる。
この他、特に該部分の開閉を可能とすることによりバッグを押し開いてシート状にすることができ、収納を容易にするばかりでなく持ち運びなどに極めて便利となる。
【００３９】
尚、本図ではファスナー４を示すがこれに限定されるものではなく開閉可能で取り外し自在な係止具等を用いてもよい。
更に、本図構成においては一例として上辺１０ａと上辺１０ｂとの境目部分の三角形状の折り込み部分と下辺１１ｂと下辺１１ｃとの境目部分の三角形状の折り込み部分はバッグの外側に折り込んでいるものである。
このように構成してもバッグは成形できるものである。
【００４０】
もとより、この三角形状の折り込み部分はバッグ内側に設けたものであってもよく、バッグの底部に縫製又は係止するものの他、バッグの細幅の両側部に縫製または係止するものであってもよい。
又、三角形状の折り込み部分を覆うポケットを設けたものであってももちろんよい。
【００４１】
図８は、更に上辺１０ａと上辺１０ｂとの境目部分の三角形状の折り込み部分と下辺１１ｂと下辺１１ｃとの境目部分の三角形状に夫々ホック６を有し、着脱自在に係止できるように構成した一例を示す。
この場合ホック６及びその配設位置や個数は一例であり、他の着脱自在の係止具を用いてもよい。
【００４２】
本図においては、底面部分に夫々２つずつのホック６と三角形状の折り込み部分に一つのホック６を有する一例を示すものであり、このように構成すると任意位置で底部のホック６と折り込み部分のホック６とを係止することによって異なる幅を有する底部を表出することができるものとなり、複数種類の形状のバッグ１を任意に形成できることとなる。
従って、入れるべき商品に限らず、好み等に応じて各種のバッグ１の形状を任意に自ら形成できることとなる。
【００４３】
図９は、三角形状の折り込み部分のホック６とバッグ１の底部のホック６の数が増えて複数個所で係止されている一例を示す図であり、このように構成することにより三角形状の折り込み部分を複数の係止具で係止でき強固なバッグを形成できる。
図１０は、袋体の開口部にさらに略帯状の折り返し片部７を設けた一例を示すものであって、又、該折り返し片部７の一端辺部にファスナー８を設けてバッグの開口部を覆う蓋部分を形成した一例を示す図である。
【００４４】
即ち、袋体の開口部の夫々のバッグ本体１の端辺部に略帯状の折り返し片部７を有し、夫々の折り返し片部７の開口部方向の端辺部においてファスナー８によって開閉自在に夫々の折り返し片部７が連設するものである。
このように構成することによってバッグの開口部を閉じることができる。
尚、本図には、バッグ中央部の押さえベルト２部分は該折り返し片部を有さず、開口を有し、バッグの持ち手５方向に向けて夫々略帯状の折り返し片部７を有する構成を示しており、ファスナー８の開閉によってバッグの夫々の持ち手方向を簡単に開閉できるものである。
【００４５】
尚、ファスナー８はリバーシブルファスナー即ち両面での使用が可能なファスナーであることが望ましいものである。
更に必要に応じて本図で示すように押さえベルト２を有しており、これによりバックの型崩れ等を防止できる。
この場合、バッグ本体１の開口部の夫々の端辺部にそれぞれ折り返し片部７を有し、この折り返し部７同士がファスナー８によって連設するものであるが、一のバッグ本体の端辺部にのみ折り返し片部７を有し、この折り返し片部７の他の端辺部とバッグ本体１の開口部の他の端辺部との間をファスナー８で開閉自在とするものであってもよい。
【００４６】
この場合ファスナー８は一例であり、ホック等の他の開閉自在の係止具を用いるものであってもよい。
更に、本図に示す構成に限らず他の構成においても、必要に応じて表裏を逆にするリバーシブル構成であってもよい。
前記したように裏地を有する場合のみならず裏地を有さない場合であっても、該バッグの内部を外部に表出させることは可能であり、必要に応じてリバーシブルに使用するものであってもよい。
【００４７】
この場合例えば三角形状の折り込み部分に関して、バッグの細幅の両側部に折り込んで該位置に係る折り込み部を隠すようにその表面部分にポケット等を配設したものであってもよい。
更に本構成においても上辺１０ａと上辺１０ｂとの縫製と、下辺１１ｂと下辺１１ｃとの縫製に変えてこの部分間を開閉可能なファスナーを用いて構成したものたとえば図７に示す構成を用いたものであってももちろんよい。
【００４８】
又、持ち手５の部分においても本図に示す持ち手とは異なる持ち手を用いたものであってもよく、或いは持ち手を用いずに側辺１２ａと下辺１１ａとによって構成される角部部分と側辺１２ｄと上辺１０ｃとによって構成される角部部分とを結んで風呂敷のような持ち手部分を構成したものであってもよい。
【００４９】
次に図１１は、図１０に示す構成のバッグの持ち手５を取り外して開口部方向の上部から視認した図を示す。
本図に示すように開口部の持ち手側両端部方向には夫々その端辺部に折り返し片部７が連設しており、夫々の折り返し片部７同士がファスナー８によって開閉自在に構成されているものである。
又、バッグの中央部には開口部が視認できると共に押さえベルト２によってバッグの両側面を押さえているものである。
【００５０】
図１２は、他の一例を示す図であり、バック開口部の両側面の端辺部には折り返し片部７が連設しており、夫々の折り返し片部同士がファスナー８によって開閉自在に装着している例を示す。
この場合バッグ中央部分には開口部がなく夫々の折り返し片部７によってバッグが閉じられているものである。
このように構成してもよく、例えばファスナー８をリバーシブルファスナー即ち両面使用可能なファスナーを用いてもよい。
尚、本構成においても押さえベルトは有さないものである。
もとよりこの押さえベルトは必要に応じて使用するものであればよく、この押さえベルトを有する構成でも或いは有さない構成を用いてもいずれでもよい。
【符号の説明】
【００５１】
１    バッグ本体
１０  ベースシートの上辺
１１  ベースシートの下辺
１２  ベースシートの側辺
２    押さえベルト
３    係止具
４    ファスナー
５    持ち手
５１  連結環
６    ホック
７    折り返し片部
８    ファスナー
【図１】
2010166951.tif 000003
【図２】
2010166951.tif 000004
【図３】
2010166951.tif 000005
【図４】
2010166951.tif 000006
【図５】
2010166951.tif 000007
【図６】
2010166951.tif 000008
【図７】
2010166951.tif 000009
【図８】
2010166951.tif 000010
【図９】
2010166951.tif 000011
【図１０】
2010166951.tif 000012
【図１１】
2010166951.tif 000013
【図１２】
2010166951.tif 000014